(57)【要約】【課題】簡単な構成により、アッパーパネル等の被取付部材をレール部に容易に固定できる取付構造及び取付装置を提供することを目的とする。【解決手段】アッパーパネル等の被取付部材をレール部に固定する取付構造及び取付装置であって、あらかじめ複数の取付装置をアッパーパネル等の被取付部材に取り付けた状態で、アッパーパネル等の被取付部材をレール部に容易に仮保持させることができ、且つ、アッパーパネル等の被取付部材及び取付装置がレール部から落下することを防止する必要なく、アッパーパネル等の被取付部材をレール部に容易に固定することができる取付構造及び取付装置。【選択図】図２
2014092237.tif 000002
【特許請求の範囲】
【請求項１】
第１の側に開口する第１溝部及び前記第１溝部よりも幅広で前記第１の側と逆側の第２の側に位置する第２溝部からなり、第１方向に延在するアリ溝を有するレール部に取付装置を用いて被取付部材を取り付ける構造であって、
前記レール部は、前記第２溝部を挟んで第１方向と直交する第２方向に対向配置された第１壁部及び第２壁部と、
前記第１壁部の前記第２の側の端部と、前記第２壁部の前記第２の側の端部とをつなぐ第３壁部と、
前記第１壁部の前記第１の側の端部から第２方向の一方側に延出する第１鉤部と、
前記第２壁部の前記第１の側の端部から第２方向の他方側に延出し前記第１溝部を挟んで前記第１鉤部と第２方向に対向配置された第２鉤部と、
を備え、
前記取付装置は、前記被取付部材の前記第１の側に設けられる第１挟持部と、
前記被取付部材の前記第２の側に設けられる第２挟持部と、
前記第１挟持部及び前記被取付部材に形成された貫通孔を介して前記第２挟持部に螺合することで前記第１溝部と前記第２挟持部との隙間の少なくとも一部を塞ぎ、先端が前記第３壁部に当接することにより、前記取付装置を締結固定させる締結部材と、
を備え、
前記第２挟持部は、前記第１溝部に挿入される第１フック部と、
前記第１フック部の前記第２の側に位置し、前記第２溝部に挿入される第２フック部と、
を備え、
前記第２フック部は、前記第１フック部よりも前記第２方向の他方側に延出する第１突起部と、前記第１フック部よりも前記第２方向の一方側に延出する第２突起部とを備え、前記第１突起部の前記第２方向の他方側の端部が前記第２溝部の前記第２方向の他方側に挿入されたときに、前記第２突起部の前記第２方向の一方側の端部が前記第１溝部において前記第２鉤部と離間する全長を有し、且つ、前記第１フック部が前記第２鉤部に当接しているときに、前記第１突起部が前記第１鉤部に前記第２の側から係合する前記第１突起部の長さを有する取付構造。
【請求項２】
前記取付装置は、前記第１方向に間隔をあけて複数設けられる請求項１に記載の取付構造。
【請求項３】
前記第２挟持部は、前記第１フック部の前記第１の側の端部を支持する支持部を備え、
前記支持部は、前記第１フック部との交差部を起点として、前記第２方向の他方側に向かうに従って、前記第１フック部から前記第１の側に漸次離間する傾斜面を備える請求項１又は請求項２に記載の取付構造。
【請求項４】
第１の側に開口する第１溝部及び前記第１溝部よりも幅広で前記第１の側と逆側の第２の側に位置する第２溝部からなり、第１方向に延在するアリ溝を有するレール部に被取付部材を取り付けるための取付装置であって、
前記レール部は、前記第２溝部を挟んで第１方向と直交する第２方向に対向配置された第１壁部及び第２壁部と、
前記第１壁部の前記第２の側の端部と、前記第２壁部の前記第２の側の端部とをつなぐ第３壁部と、
前記第１壁部の前記第１の側の端部から第２方向の一方側に延出する第１鉤部と、
前記第２壁部の前記第１の側の端部から第２方向の他方側に延出し前記第１溝部を挟んで前記第１鉤部と第２方向に対向配置された第２鉤部と、
を備え、
前記取付装置は、前記被取付部材の前記第１の側に設けられる第１挟持部と、
前記被取付部材の前記第２の側に設けられる第２挟持部と、
前記第１挟持部及び前記被取付部材に形成された貫通孔を介して前記第２挟持部に螺合することで前記第１溝部と前記第２挟持部との隙間の少なくとも一部を塞ぎ、先端が前記第３壁部に当接することにより、前記取付装置を締結固定させる締結部材と、
を備え、
前記第２挟持部は、前記第１溝部に挿入される第１フック部と、
前記第１フック部の前記第２の側に位置し、前記第２溝部に挿入される第２フック部と、
を備え、
前記第２フック部は、前記第１フック部よりも前記第２方向の他方側に延出する第１突起部と、前記第１フック部よりも前記第２方向の一方側に延出する第２突起部とを備え、前記第１突起部の前記第２方向の他方側の端部が前記第２溝部の前記第２方向の他方側に挿入されたときに、前記第２突起部の前記第２方向の一方側の端部が前記第１溝部において前記第２鉤部と離間する全長を有し、且つ、前記第１フック部が前記第２鉤部に当接しているときに、前記第１突起部が前記第１鉤部に前記第２の側から係合する前記第１突起部の長さを有する取付装置。
【請求項５】
前記取付装置は、前記第１方向に間隔をあけて複数設けられる請求項４に記載の取付装置。
【請求項６】
前記第２挟持部は、前記第１フック部の前記第１の側の端部を支持する支持部を備え、
前記支持部は、前記第１フック部との交差部を起点として、前記第２方向の他方側に向かうに従って、前記第１フック部から前記第１の側に漸次離間する傾斜面を備える請求項４又は請求項５に記載の取付装置。
【発明の詳細な説明】
【技術分野】
【０００１】
本発明は、取付構造、及び取付装置に関するものである。
【背景技術】
【０００２】
デスクの後ろ側に取り付けられるデスクトップパネルの中には、上方から天板の後部上面に射す照明光を遮り、天板の後部上面に載置したＯＡ機器のディスプレイ等の画面を見やすくするために、パネルの上部を前上方に傾斜させたもの（以下、アッパーパネルと呼称する。）がある。
【０００３】
このようなアッパーパネルとしては、特許文献１に示されるようなデスクのバックパネルの上部に設けられたレールに取り付けるものが知られている。
また、アッパーパネル等をレールに取り付ける装置として、特許文献２、３に示されるようなものが知られている。
【先行技術文献】
【特許文献】
【０００４】
【特許文献１】特開２００８−１１９０７９号公報
【特許文献２】特開２００９−１０８９９２号公報
【特許文献３】特開２００９−１１５８３３号公報
【発明の概要】
【発明が解決しようとする課題】
【０００５】
特許文献１に記載されているパネル付きデスクは、バックパネル上端のレールに取付装置を固定した後、アッパーパネルを取り付ける構成である。そのため、２つ以上の固定部を備えるアッパーパネルを取り付けるにあたっては、アッパーパネルの各固定部に対応する各取付装置の位置調整に手間がかかる。また、取付装置の構造上、取付装置をアッパーパネルに取り付けた後に、レールに固定することも可能である。しかし、レールに対して装置を固定しなければ、アッパーパネル等をレールに仮保持させることができず、手で押さえる等の操作を行って、アッパーパネルの落下を防止しつつ取付装置を固定する必要があり、手間がかかる。
【０００６】
特許文献２に記載されている取付装置は、レールに対して取付装置が水平になるようにして、取付装置の端部をレール内に挿入した後、垂直になるように９０度回転させて固定する構成である。そのため、２つ以上の固定部を備えるアッパーパネル等を取り付ける場合には、取付装置をレールに固定した後に、アッパーパネル等を取り付ける必要がある。したがって、アッパーパネル等の各固定部に対応する各取付装置の位置調整に手間がかかる。
【０００７】
特許文献３に記載されている取付装置は、上下２つのレールに対しフックを掛けることで取付装置を仮保持させ、その後ねじで固定するという構成である。したがって、この取付装置では大型となり、レールも複数必要であるため、見栄えが悪く、コストもかかる。
【０００８】
本発明は、上記問題点に鑑みてなされたもので、簡単な構成により、２つ以上の固定部を備えるアッパーパネル等に取付装置を取り付けた状態で、アッパーパネル等を容易にレールに仮保持させることが可能であり、且つ、手で押さえる等の操作を行うことによってアッパーパネル等の落下を防止することなく、取付装置をレールに固定できる取付構造及び取付装置を提供することを目的とする。
【課題を解決するための手段】
【０００９】
本発明による取付構造は、第１の側に開口する第１溝部及び前記第１溝部よりも幅広で前記第１の側と逆側の第２の側に位置する第２溝部からなり、第１方向に延在するアリ溝を有するレール部に取付装置を用いて被取付部材を取り付ける構造であって、前記レール部は、前記第２溝部を挟んで第１方向と直交する第２方向に対向配置された第１壁部及び第２壁部と、前記第１壁部の前記第２の側の端部と、前記第２壁部の前記第２の側の端部とをつなぐ第３壁部と、前記第１壁部の前記第１の側の端部から第２方向の一方側に延出する第１鉤部と、前記第２壁部の前記第１の側の端部から第２方向の他方側に延出し前記第１溝部を挟んで前記第１鉤部と第２方向に対向配置された第２鉤部と、を備え、前記取付装置は、前記被取付部材の前記第１の側に設けられる第１挟持部と、前記被取付部材の前記第２の側に設けられる第２挟持部と、前記第１挟持部及び前記被取付部材に形成された貫通孔を介して前記第２挟持部に螺合することで前記第１溝部と前記第２挟持部との隙間の少なくとも一部を塞ぎ、先端が前記第３壁部に当接することにより、前記取付装置を締結固定させる締結部材と、を備え、前記第２挟持部は、前記第１溝部に挿入される第１フック部と、前記第１フック部の前記第２の側に位置し、前記第２溝部に挿入される第２フック部と、を備え、前記第２フック部は、前記第１フック部よりも前記第２方向の他方側に延出する第１突起部と、前記第１フック部よりも前記第２方向の一方側に延出する第２突起部とを備え、前記第１突起部の前記第２方向の他方側の端部が前記第２溝部の前記第２方向の他方側に挿入されたときに、前記第２突起部の前記第２方向の一方側の端部が前記第１溝部において前記第２鉤部と離間する全長を有し、且つ、前記第１フック部が前記第２鉤部に当接しているときに、前記第１突起部が前記第１鉤部に前記第２の側から係合する前記第１突起部の長さを有する。
【００１０】
また、本発明による取付装置は、第１の側に開口する第１溝部及び前記第１溝部よりも幅広で前記第１の側と逆側の第２の側に位置する第２溝部からなり、第１方向に延在するアリ溝を有するレール部に被取付部材を取り付けるための取付装置であって、前記レール部は、前記第２溝部を挟んで第１方向と直交する第２方向に対向配置された第１壁部及び第２壁部と、前記第１壁部の前記第２の側の端部と、前記第２壁部の前記第２の側の端部とをつなぐ第３壁部と、前記第１壁部の前記第１の側の端部から第２方向の一方側に延出する第１鉤部と、前記第２壁部の前記第１の側の端部から第２方向の他方側に延出し前記第１溝部を挟んで前記第１鉤部と第２方向に対向配置された第２鉤部と、を備え、前記取付装置は、前記被取付部材の前記第１の側に設けられる第１挟持部と、前記被取付部材の前記第２の側に設けられる第２挟持部と、前記第１挟持部及び前記被取付部材に形成された貫通孔を介して前記第２挟持部に螺合することで前記第１溝部と前記第２挟持部との隙間の少なくとも一部を塞ぎ、先端が前記第３壁部に当接することにより、前記取付装置を締結固定させる締結部材と、を備え、前記第２挟持部は、前記第１溝部に挿入される第１フック部と、前記第１フック部の前記第２の側に位置し、前記第２溝部に挿入される第２フック部と、を備え、前記第２フック部は、前記第１フック部よりも前記第２方向の他方側に延出する第１突起部と、前記第１フック部よりも前記第２方向の一方側に延出する第２突起部とを備え、前記第１突起部の前記第２方向の他方側の端部が前記第２溝部の前記第２方向の他方側に挿入されたときに、前記第２突起部の前記第２方向の一方側の端部が前記第１溝部において前記第２鉤部と離間する全長を有し、且つ、前記第１フック部が前記第２鉤部に当接しているときに、前記第１突起部が前記第１鉤部に前記第２の側から係合する前記第１突起部の長さを有する。
【００１１】
この構造及び装置によれば、取付装置をレール部に対して第２の側に傾けて、第１突起部を第２溝部に挿入していくことで、第２フック部を第２溝部に挿入する構成である。そのため、アリ溝に第１フック部及び第２フック部を挿入する際に、取付装置を第１方向の側に傾ける必要がない。
【００１２】
また、第１フック部が第１溝部に、第２フック部が第２溝部にそれぞれ挿入され、第１フック部が第２鉤部と当接している状態においては、第１突起部が第１鉤部に第２の側から係合している。そのため、取付装置のレール部からの脱落が抑制され、取付装置をレール部に仮保持させることができる。
【００１３】
さらに、第１フック部及び第２フック部がアリ溝に挿入された後に、取付装置をレール部に固定する際には、締結部材を用いて締結固定する。そのため、取付装置の姿勢を変更する必要なく、取付装置をレール部に固定することができる。
【００１４】
本発明の取付構造においては、前記取付装置は、前記第１方向に間隔をあけて複数設けられる、ものとすることができる。
【００１５】
また、本発明の取付装置は、前記第１方向に間隔をあけて複数設けられる、ものとすることができる。
【００１６】
この構造及び装置によれば、被取付部材に取付装置を複数取り付けた状態で、被取付部材をレール部に仮保持させることができる。
【００１７】
本発明の取付構造においては、前記第２挟持部は、前記第１フック部の前記第１の側の端部を支持する支持部を備え、前記支持部は、前記第１フック部との交差部を起点として、前記第２方向の他方側に向かうに従って、前記第１フック部から前記第１の側に漸次離間する傾斜面を備える、ものとすることができる。
【００１８】
また、本発明の取付装置においては、前記第２挟持部は、前記第１フック部の前記第１の側の端部を支持する支持部を備え、前記支持部は、前記第１フック部との交差部を起点として、前記第２方向の他方側に向かうに従って、前記第１フック部から前記第１の側に漸次離間する傾斜面を備える、ものとすることができる。
【００１９】
この構造及び装置によれば、支持部における第１フック部の第２の方向の他方側に切欠きが形成される。そのため、第２フック部を第２溝部に挿入する際に、取付装置を第２の側に傾けても、第１鉤部が支持部に干渉することを防止できる。
これにより、第２フック部を第２溝部に挿入することが容易となる。
【発明の効果】
【００２０】
この取付構造及び装置によれば、アリ溝に取付装置の第１フック部及び第２フック部を挿入する際に、取付装置を第１方向の側に傾ける必要がない。また、その後締結部材によって取付装置をレール部に締結固定する際には、取付装置の姿勢を変更する必要がない。そのため、取付装置を、２つ以上の固定部を備えるアッパーパネル等の被取付部材にあらかじめ取り付けた状態で、レール部に固定することができる。したがって、被取付部材の各固定部に対応する取付装置を設置する位置の調整をする必要がない。
【００２１】
また、第２溝部に挿入した第２フック部の第１突起部によって、取付装置のレール部からの脱落を抑制できるため、レール部に取付装置を仮保持させることができる。そのため、締結部材による取付装置の締結固定に際して、アッパーパネル等の被取付部材の落下を防止するための手間を省くことができる。したがって、容易にアッパーパネル等の被取付部材をレール部に固定することができる。
【００２２】
さらに、取付装置は、簡単な構成であり、部材も少ない。そのため、コストを抑えることができ、アッパーパネル等の被取付部材を取り付けた際の見栄えも良いものとすることができる。
【図面の簡単な説明】
【００２３】
【図１】本実施形態の全体を示す外観斜視図。
【図２】本実施形態の取付構造を示す部分拡大図。
【図３】本実施形態の取付装置を示す外観斜視図。
【図４】本実施形態のアッパーパネルに取付装置の取り付ける方法を示す外観斜視図。
【図５】本実施形態の取付装置をレール部に仮保持させる手順を示す部分拡大図。
【発明を実施するための形態】
【００２４】
以下、図面を用いて本発明の実施の形態について説明する。
説明中の方向は、図１に示すＸＹＺ軸の方向に従うものとする。すなわち、Ｚ軸を鉛直方向、Ｙ軸をＺ軸に垂直でバックパネル１３の面と平行な方向、Ｘ軸をＹ軸及びＺ軸と垂直に交わる方向に取る。鉛直方向上側を＋Ｚ軸方向、紙面奥側から手前側に向かう方向を＋Ｙ軸方向、デスク１４から使用者が座る側に向かう方向を＋Ｘ軸方向とする。
【００２５】
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２６】
図１は、本実施形態の取付装置１１を用いて、デスク１４に取り付けられたバックパネル１３に、アッパーパネル（被取付部材）１２が取り付けられている外観斜視図である。
図１に示すように、レール部１０は、バックパネル１３の＋Ｘ軸方向側（第１の側）の面の＋Ｚ軸方向側（第２方向の他方側）の端部に、長手方向がＹ軸方向（第１方向）となるように取り付けられている。アッパーパネル１２は、アッパーパネル１２の−Ｚ軸方向側（第２方向の一方側）の端部近傍の±Ｙ軸方向両端部近傍にそれぞれ取り付けられた取付装置１１によってレール部１０に固定されている。
【００２７】
デスク１４は、脚体１５と、脚体間に懸架された横連結ビーム（不図示）と、主天板１４ａと、主天板１４ａの−Ｘ軸方向側（第２の側）に位置する補助天板１４ｂと、ブラケット１４ｅを備えている。
脚体１５は、補助天板１４ｂの±Ｙ軸方向両端部近傍の−Ｚ軸方向側にそれぞれ設けられている。
補助天板１４ｂは、前天板１４ｃと、前天板１４ｃの−Ｘ軸方向側に位置する後天板１４ｄを備えている。前天板１４ｃと後天板１４ｄの間には補助天板１４ｂの−Ｚ軸方向側に挿通する隙間１４ｆが形成されている。
ブラケット１４ｅは、後天板１４ｄの±Ｙ軸方向両端部近傍における、−Ｘ軸方向端部近傍の−Ｚ軸方向側にそれぞれ設けられている。ブラケット１４ｅは設置箇所から−Ｘ軸方向に延出し、その端部から−Ｚ軸方向に延出している。
ブラケット１４ｅの−Ｚ軸方向に延出した部分の−Ｘ軸方向側の面には、Ｚ軸方向（第２方向）に沿ってバックパネル１３が取り付けられている。
【００２８】
図２は、本実施形態の取付構造を示す部分拡大図である。図２（ａ）は、図１における、Ａ−Ａ断面を示している。図２（ｂ）は、図１における、後段において示すビス３０（貫通孔３５ｂ）の軸線を含む面で断面したＢ−Ｂ断面を示している。
図２（ａ）では、取付装置１１によってアッパーパネル１２がレール部１０に固定されて取り付けられている。
【００２９】
レール部１０は、上壁部（第１壁部）２１ａと、下壁部（第２壁部）２１ｂと、上鉤部（第１鉤部）２１ｃと、下鉤部（第２鉤部）２１ｄと、側壁部（第３壁部）２１ｅを備えている。上壁部２１ａ及び下壁部２１ｂは、側壁部２１ｅのＺ軸方向の両端部からそれぞれ＋Ｘ軸方向に延出して設けられており、Ｚ軸方向に対向配置されている。上鉤部２１ｃは、上壁部２１ａの＋Ｘ軸方向側の端部から−Ｚ軸方向側に延出している。下鉤部２１ｄは、下壁部２１ｂの＋Ｘ軸方向側の端部から＋Ｚ軸方向側に延出し、上鉤部２１ｃとＺ軸方向に対向配置されている。
第１溝部２２ａは、＋Ｘ軸方向側に開口し、Ｙ軸方向に延在している。第２溝部２２ｂは、第１溝部２２ａよりも幅広で−Ｘ軸方向側に位置している。第１溝部２２ａと第２溝部２２ｂにより、Ｙ軸方向に延在するアリ溝２２が形成される。
【００３０】
レール部１０の材質は、特に限定されないが、例えばアルミニウム合金を用いることができる。
【００３１】
図３（ａ）は、取付装置１１を＋Ｘ軸方向側から見た外観斜視図であり、図３（ｂ）は、−Ｘ軸方向側から見た外観斜視図である。
図２及び図３に示すように、取付装置１１は、第１挟持部２３と、第２挟持部２４と、締結部材２８と、ワッシャー２９と、ビス３０と、を備えている。
【００３２】
第１挟持部２３は、第１基部３１と、第１基部３１の−Ｘ軸方向側の面の±Ｙ軸方向両端部近傍に凸部３１ａを備えている。凸部３１ａには、−Ｘ軸方向側から孔部３５ａが同心で形成されている。第１基部３１のＹ軸方向及びＺ軸方向の中心にはＸ軸方向に貫通する貫通孔３４ａが設けられている。第１基部３１の＋Ｘ軸方向側の面には貫通孔３４ａと同心でザグリ３４ｃが設けられている。
【００３３】
第２挟持部２４は、第２基部３２と、支持部２７と、第１フック部２５と、第２フック部２６と、を備えている。第２挟持部２４におけるＹ軸方向及びＺ軸方向の中心には、第２基部３２、支持部２７、第１フック部２５及び第２フック部２６に跨って貫通する貫通孔３４ｂが形成されている。貫通孔３４ｂには雌ネジが形成されている。また、第２基部３２の±Ｙ軸方向両端部近傍には、Ｘ軸方向に貫通する貫通孔３５ｂが設けられている。貫通孔３５ｂには、ビス３０の雄ネジ部が挿通される。２つの貫通孔３５ｂは、孔部３５ａの間隔と同一の間隔で設けられている。第２基部３２の＋Ｘ軸方向側の面には、貫通孔３５ｂと同心で、且つ、凸部３１ａと嵌合するような凹部３２ａが設けられている。凹部３２ａの−Ｘ軸方向の陥没量は、アッパーパネル１２のＸ軸方向の厚さと合わせて、凸部３１ａの−Ｘ軸方向の突出量と等しくなるものである。
【００３４】
支持部２７は第２基部３２の−Ｘ軸方向側に設けられている。第１フック部２５は支持部２７の−Ｘ軸方向側に設けられている。第２フック部２６は第１フック部２５の−Ｘ軸方向側に設けられている。
【００３５】
第２フック部２６は、上突起部（第１突起部）２６ａと下突起部（第２突起部）２６ｂとを備えている。
第２フック部２６は、上突起部２６ａを第２溝部２２ｂの＋Ｚ軸方向側に挿入したときに、下突起部２６ｂの−Ｚ軸方向側の端部が、第１溝部２２ａを介して第２溝部２２ｂに入り込めるように、下鉤部２１ｄと離間する長さを有している。
上突起部２６ａは、第２フック部２６が第２溝部２２ｂに挿入され、且つ、第１フック部２５の−Ｚ軸方向側の面が下鉤部２１ｄに当接しているときに、上鉤部２１ｃに−Ｘ軸方向側から係合する長さを有している。
【００３６】
第１フック部２５は、第２フック部２６の上突起部２６ａを第２溝部２２ｂの＋Ｚ軸方向側に挿入し、下突起部２６ｂが下鉤部２１ｄと離間したときに、第１フック部２５の＋Ｚ軸方向側の面が上鉤部２１ａと当接し、且つ、第１溝部２２ａのＺ軸方向の長さより短くなるような、Ｚ軸方向の長さを有する。
【００３７】
支持部２７は、上方部２７ａと下方部２７ｂを備えている。上方部２７ａは、−Ｘ軸方向側の面に、支持部２７と第１フック部２５との交差部を起点として、＋Ｚ軸方向に向かうに従って、第１フック部２５から＋Ｘ軸方向側に漸次離間する−Ｘ軸方向側に傾く傾斜面２７ｄを備えている。下方部２７ｂは、−Ｘ軸方向側の面の−Ｚ軸方向側の端部に−Ｘ軸方向に突出し、Ｙ軸方向に延在している補助部２７ｃを備えている。補助部２７ｃの−Ｘ軸方向への突出量は、補助部２７ｃの−Ｘ軸方向側の端面と下突起部２６ｂの＋Ｘ軸方向側の面との距離が、下鉤部２１ｄの＋Ｘ軸方向側の面と第２溝部２２ｂ内で下突起部２６ｂと当接する面との距離と等しくなるものである。
【００３８】
締結部材２８は、頭部２８ａと雄ネジ部２８ｂとを備えている。締結部材２８は、貫通孔３４ｂに螺合され、且つ、−Ｘ軸方向側の端部が側壁部２１ｅの＋Ｘ軸方向側の面に当接したときに、頭部２８ａがザグリ３４ｃに埋没する長さを有している。このとき、頭部２８ａの−Ｘ軸方向側の面は、ザグリ３４ｃの＋Ｘ軸方向側の面に当接するワッシャー２９の＋Ｘ軸方向側の面と当接している。
【００３９】
第１挟持部２３と第２挟持部２４の材質は、特に限定されないが、例えばアルミニウム合金を用いることができる。
【００４０】
図４は、アッパーパネル１２に取付装置１１を取り付ける方法を示した外観斜視図である。
図４に示すように、アッパーパネル１２は、−Ｚ軸方向側から＋Ｚ軸方向側に向かって、＋Ｘ軸方向側に、なだらかな円弧状を描いて湾曲するパネルである。
アッパーパネル１２は、−Ｚ軸方向の端部近傍の±Ｙ軸方向端部近傍にそれぞれ固定部４０を備えている。固定部４０は、Ｘ軸方向に貫通する、貫通孔４１及び２つの貫通孔４２を備えている。２つの貫通孔４２の間隔は、第２挟持部２４に備えられた２つの貫通孔３５ｂの間隔と同一である。貫通孔４１は、２つの貫通孔４２の間のＹ軸方向及びＺ軸方向の中心に設けられている。
【００４１】
アッパーパネル１２の材質は、特に限定されず、例えばアクリルを用いることができる。デスクの上方から射す照明光を遮るために、光の透過率が低いものを用いることが好ましい。
また、アッパーパネル１２の形状は、図４に示す形状に限られない。
【００４２】
図２から図４に示すように、アッパーパネル１２は、第１挟持部２３と第２挟持部２４との間で挟持され、ビス３０の雄ネジ部が貫通孔３５ｂを介して、孔部３５ａと螺合することで締結されている。アッパーパネル１２の固定部４０の＋Ｘ軸方向側の面に第１基部３１の−Ｘ軸方向側の面が、アッパーパネル１２の固定部４０の−Ｘ軸方向側の面に第２基部３２の＋Ｘ軸方向側の面が、それぞれ当接している。凸部３１ａは、貫通孔４２を介して凹部３２ａに嵌合されている。
【００４３】
第１フック部２５は第１溝部２２ａに、第２フック部２６は第２溝部２２ｂに、それぞれ挿入されている。第１フック部２５の−Ｚ軸方向側の面は下鉤部２１ｄに当接している。第２フック部２６の上突起部２６ａは、−Ｘ軸方向側から上鉤部２１ｃに係合しており、下突起部２６ｂは、−Ｘ軸方向側から下鉤部２１ｄに係合している。
補助部２７ｃは、下鉤部２１ｄの＋Ｘ軸方向側の面に当接している。
【００４４】
締結部材２８は、貫通孔３４ａ及び貫通孔４１を介して、貫通孔３４ｂに螺合されている。締結部材２８の−Ｘ軸方向側の端部は第１溝部２２ａ及び第２溝部２２ｂに挿入され、締結部材２８の−Ｘ軸方向側の端面は側壁部２１ｅの＋Ｘ軸方向側の面に当接している。
【００４５】
以下、アッパーパネル１２の取り付け手順を説明する。
まず、アッパーパネル１２の２つの固定部４０に、それぞれ取付装置１１を固定する（図４参照）。アッパーパネル１２への取付装置１１の固定は、第１挟持部２３と第２挟持部２４とを、ビス３０によってアッパーパネル１２を介して締結することにより行う。第１挟持部２３と第２挟持部２４の締結は、ビス３０を、貫通孔３５ｂを介して孔部３５ａに螺合することで行う。
【００４６】
より詳細には、図２（ｂ）に示すように、凸部３１ａを、アッパーパネル１２の貫通孔４２に＋Ｘ軸方向側から貫通させて−Ｘ軸方向側に突出させ、−Ｘ軸方向側に突出した凸部３１ａを第２挟持部２４の凹部３２ａに嵌合させる。これにより、第１挟持部２３と第２挟持部２４との間に、アッパーパネル１２の厚さに相当する隙間が形成され、アッパーパネル１２は当該隙間に保持される。そして、ビス３０を−Ｘ軸方向側から貫通孔３５ｂを介して挿入し、凸部３１ａの孔部３５ａに螺合させる。これにより、アッパーパネル１２は第１挟持部２３と第２挟持部２４との間で挟持される。
【００４７】
次に、アッパーパネル１２に固定した状態の取付装置１１をレール部１０に仮保持させる。図５は、取付装置１１をレール部１０に仮保持させる手順を示した部分拡大図である。
図５（ａ）に示すように、取付装置１１における第２フック部２６の上突起部２６ａを、第１溝部２２ａから、第２溝部２２ｂへと挿入し、下突起部２６ｂの下端部が下鉤部２１ｄと離間するまで、上突起部２６ａの＋Ｚ軸方向側の端部を第２溝部２２ｂの＋Ｚ軸方向側に差しこむ。この際、支持部２７は、傾斜面２７ｄによって形成される切欠きを備えているため、レール部１０に接触しない。
そして、上突起部２６ａの＋Ｚ軸方向側の端部を支点として、Ｙ軸と平行な軸線回りに取付装置１１を＋Ｙ軸方向側から見て反時計回りに回転させ、下突起部２６ｂを第１溝部２２ａから、第２溝部２２ｂへと挿入する。第２フック部２６全体が第２溝部２２ｂに挿入された後、第１フック部２５の−Ｚ軸方向側の面が下鉤部２１ｄに当接するまで、下突起部２６ｂの下端部を第２溝部２２ｂの−Ｚ軸方向側へ落とし込む。
【００４８】
これにより、図５（ｂ）に示すように、第２フック部２６全体が第２溝部２２ｂに挿入される。このとき、上突起部２６ａは上鉤部２１ｃに−Ｘ軸方向側から係合し、下突起部２６ｂは下鉤部２１ｄに−Ｘ軸方向側から係合する。そのため、第２フック部２６は第２溝部２２ｂから離脱せず、レール部１０に仮保持される。
【００４９】
補助部２７ｃは下鉤部２１ｄの＋Ｘ軸方向側の面に当接する。
取付装置１１には、アッパーパネル１２及び取付装置１１自体の重さによって、＋Ｙ軸方向側から見て反時計回り方向にＹ軸回りのモーメントが発生する。これに対して、上突起部２６ａと上鉤部２１ｃの当接面には−Ｘ軸方向の抗力が、補助部２７ｃと下鉤部２１ｄの当接面には＋Ｘ軸方向の抗力が、それぞれ発生する。これらの抗力により＋Ｙ軸方向側から見て時計回りのＹ軸回りのモーメントが発生するため、Ｙ軸回りのモーメントがつり合い、取付装置１１はレール部１０に仮保持される。
【００５０】
この後、図２に示すように、締結部材２８によって、取付装置１１をレール部１０に締結固定する。
具体的には、締結部材２８を、ワッシャー２９を介して、第１挟持部２３の＋Ｘ軸方向側から、貫通孔３４ａ及びアッパーパネル１２の貫通孔４１を介して、第２挟持部２４の貫通孔３４ｂに螺合させる。そして、締結部材２８を回転させ、締結部材２８の−Ｘ軸方向側の端部がレール部１０の側壁部２１ｅの＋Ｘ軸方向側の面に当接するまで、貫通孔３４ｂに螺入する。
これにより、第１溝部２２ａにおける、上鉤部２１ｃと第１フック部２５の間の隙間の一部を締結部材２８で塞ぐことができる。これにより、取付装置１１を＋Ｚ軸方向に動かそうとすると、締結部材２８が上鉤部２１ｃの−Ｚ軸方向側の端部に当接する。その結果、取付装置１１が＋Ｚ軸方向側に動くことを抑制できる。
【００５１】
そして、締結部材２８が側壁部２１ｅに当接した状態で、さらに締結部材２８を回転させ、−Ｘ軸方向側に螺進させようとすると、側壁部２１ｅに阻まれるため、相対的に取付装置１１が＋Ｘ軸方向側に移動する方向の力を受ける。しかし、取付装置１１も上突起部２６ａと下突起部２６ｂが、それぞれ上鉤部２１ｃと下鉤部２１ｄに−Ｘ軸方向側から係合しているため、＋Ｘ軸方向側への移動は阻害される。その結果、上突起部２６ａと上鉤部２１ｃの間と、下突起部２６ｂと下鉤部２１ｄの間とに、それぞれ締結力が発生する。
これにより、レール部１０と取付装置１１を締結固定することができ、アッパーパネル１２をレール部１０に固定することができる。
【００５２】
以上に詳細に説明した本実施形態の取付構造によれば、取付装置１１が複数（ここでは２つ）設けられる場合であっても、取付装置１１をＹ軸と平行な軸線回りに回転させる動作により、第２溝部２２ｂに第２フック部２６を容易に挿入することができ、結果として＋Ｘ軸方向側からアッパーパネル１２をレール部１０に容易に仮保持させることができる。
また、その後、締結部材２８を用いているため、取付装置１１の姿勢を変更することなく、取付装置１１をレール部１０に容易に固定することができる。
【００５３】
そのため、アッパーパネル１２のＹ軸方向に備えられている２つの固定部４０に、あらかじめ取付装置１１を取り付けた状態で、アッパーパネル１２をレール部１０に容易に固定することができる。
【００５４】
これにより、簡単な構成、且つ、少ない部材で、アッパーパネル１２をレール部１０に固定することができるため、コストを抑えることができる。また、アッパーパネル１２をレール部１０に固定した際の見栄えも良いものとなる。
【００５５】
また、本実施形態の取付構造においては、アッパーパネル１２の取り付け姿勢が、仮保持状態と固定状態とで同一であることが望ましい。例えば、仮保持状態におけるアッパーパネル１２の取り付け姿勢が、固定状態に比べて、Ｙ軸方向と平行な軸線回りに＋Ｙ軸方向側から見て反時計回りに傾いているような場合には、取付装置を固定する際にアッパーパネル１２が取り付け者の邪魔になるだけでなく、取り付け者にアッパーパネル１２が落下するのではないかという不安感を与えるものとなるためである。
【００５６】
アッパーパネル１２は取付装置１１に挟持締結固定されているため、アッパーパネル１２の取り付け姿勢は、取付装置１１の取り付け姿勢によって決まる。ここで、レール部１０に対する取付装置１１の取り付け姿勢が、固定状態に比べて、Ｙ軸方向と平行な軸線回りに＋Ｙ軸方向側から見て反時計回りに傾いているような場合、例えそれがわずかなものであっても、アッパーパネル１２のＹ軸方向と平行な軸線回りに＋Ｙ軸方向側から見て反時計回りの傾きは、＋Ｚ軸方向に向かうに従って、大きいものとなる。
【００５７】
これに対して、本実施形態の取付構造によれば、支持部２７の補助部２７ｃの−Ｘ軸方向への突出量は、補助部２７ｃの−Ｘ軸方向側の端面と第２フック部２６の下突起部２６ｂの＋Ｘ軸方向側の面との距離が、下鉤部２１ｄの＋Ｘ軸方向側の面と第２溝部２２ｂ内で下突起部２６ｂと当接する面との距離と等しくなるものである。そのため、取付装置１１は、仮保持状態において、上突起部２６ａと下突起部２６ｂが−Ｘ軸方向側からそれぞれ上鉤部２１ｃと下鉤部２１ｄに係合し、且つ、補助部２７ｃが下鉤部２１ｄの＋Ｘ軸方向側の面に当接する姿勢となる。これは、固定状態における取付装置１１の取り付け姿勢と同一である。
したがって、取付装置１１に締結固定されているアッパーパネル１２の取り付け姿勢を、仮保持状態と固定状態とで同じものとすることができるため、上記問題を解消することができる。
【００５８】
なお、第１フック部２５のＺ軸方向の長さは、第２フック部２６の上突起部２６ａを第２溝部２２ｂの＋Ｚ軸方向側に挿入し、下突起部２６ｂが下鉤部２１ｄと離間したときに、第１フック部２５の＋Ｚ軸方向側の面が上鉤部２１ａと離間し、且つ、第１溝部２２ａのＺ軸方向の長さより短くなるようなものであってもよい。
【００５９】
また、本実施形態においては、２つの固定部４０を備えるアッパーパネル１２を被取付部材として用いたが、固定部を１つ又は３つ以上備える被取付部材であってもよい。
【００６０】
また、被取付部材は、アッパーパネル１２に限られるものでなく、どのような部材であってもよい。
【００６１】
また、本実施形態においては、レール部１０をその長手方向がＹ軸方向になるようにバックパネル１３の＋Ｚ軸方向側の端部に取り付けたが、これに限られない。例えば、バックパネル１３のＺ軸方向の中心に取り付けてもよい。
【００６２】
また、レール部１０を取り付ける方向についても、長手方向がＹ軸方向になる方向に限られない。例えば、長手方向がＺ軸方向となる方向であってもよい。
【００６３】
また、レール部１０を取り付ける部材についても、バックパネル１３に限られず、どのような部材であってもよい。
【００６４】
また、本実施形態においては、レール部１０の形状は直線形のものを用いたが、本発明の取付構造により被取付部材を取り付けることができるものであれば、これに限られない。
【００６５】
また、レール部１０の−Ｘ軸方向側の面にも、アリ溝２２と同様のアリ溝が設けられている。該アリ溝は、アリ溝２２と、バックパネル１３のＸ軸方向の中心を通るＹＺ平面に対して対称となるようにして配置されている（図２参照）。該アリ溝に対して、アッパーパネル１２等の被取付部材を取り付けてもよい。
【符号の説明】
【００６６】
１０…レール部、１１…取付装置、１２…アッパーパネル（被取付部材）、２１ａ，２１ｂ，２１ｅ…壁部、２１ｃ，２１ｄ…鉤部、２２…アリ溝、２２ａ，２２ｂ…溝部、２３，２４…挟持部、２５，２６…フック部、２６ａ，２６ｂ…突起部、２７…支持部、２８…締結部材
【図１】
2014092237.tif 000003
【図２】
2014092237.tif 000004
【図３】
2014092237.tif 000005
【図４】
2014092237.tif 000006
【図５】
2014092237.tif 000007